(57)【要約】【課題】複数のデータドライバの特性差により生ずる表示輝度差を知覚されにくくし、以て、良好な表示品位のディスプレイパネルを提供する。【解決手段】マトリクス状に配列された複数の発光素子１０及び駆動回路１２を有する表示画素Ｐｉｘと、駆動回路１２に駆動信号を供給する複数のドライバチップ２３Ａ、２３Ｂと、各表示画素Ｐｉｘに接続されて列方向に設けられた複数の信号線３と、を備え、第１のドライバチップ２３Ａに接続された信号線３のうち、少なくとも１本は、両隣に隣接する２本の信号線３が第２のドライバチップ２３Ｂに接続されているディスプレイ装置１Ａである。【選択図】図１
2010176013.tif 000002
【特許請求の範囲】
【請求項１】
表示領域と、
前記表示領域において、列方向に沿って配設された複数の信号線と、
前記複数の信号線の各々に接続されて、前記表示領域内に直交する行及び列方向に沿って配列された複数の表示画素と、
前記表示領域外に設けられ、複数の出力端子を有し、該各出力端子から前記表示画素を駆動する駆動信号を出力する複数のドライバチップと、
を備え、
前記複数の信号線は、前記複数のドライバチップの何れかの前記複数の出力端子の何れかに接続されており、前記複数のドライバチップにおける一つの第１のドライバチップの少なくとも１つの前記出力端子に接続される少なくとも１本の前記信号線は、前記第１のドライバチップとは異なる第２のドライバチップの前記各出力端子に接続される前記各信号線の間に配設されていることを特徴とするディスプレイ装置。
【請求項２】
前記第１のドライバチップにおける前記複数の出力端子は、少なくとも１つの前記出力端子からなる第１の出力端子群と、該第１の出力端子群に含まれない前記各出力端子からなる第２の出力端子群と、をなし、
前記第２のドライバチップにおける前記各出力端子は、少なくとも１つの前記出力端子からなる第３の出力端子群と、該第３の出力端子群に含まれない前記各出力端子からなる第４の出力端子群とからなり、
前記複数の信号線は、前記第１のドライバチップの前記第１の出力端子群に接続される少なくとも１本の前記信号線からなる第１の信号線群と、前記第２の出力端子群に接続される第２の信号線群と、前記第２のドライバチップの前記第３の出力端子群に接続される少なくとも１本の前記信号線からなる第３の信号線群と、前記第４の出力端子群に接続される第４の信号線群と、を有し、
前記第３の信号線群は、前記第２の信号線群と前記第１の信号線群との間に配列され、前記第３の信号線群と前記第４の信号線群との間に前記第１の信号線群が配列されていることを特徴とする請求項１記載のディスプレイ装置。
【請求項３】
前記第１の信号線群における前記信号線は、前記第１のドライバチップの前記第２のドライバチップ側の端部側の、少なくとも１つの前記出力端子に接続されており、
前記第３の信号線群における前記信号線は、前記第２のドライバチップの前記第１のドライバチップ側の端部側の、少なくとも１つの前記出力端子に接続されていることを特徴とする請求項１又は２に記載のディスプレイ装置。
【請求項４】
前記第１の前記ドライバチップと第２の前記ドライバチップは、前記表示領域の一端側に隣接して設けられていることを特徴とする請求項３記載のディスプレイ装置。
【請求項５】
前記第１の信号線群と前記第３の信号線群とは、前記表示領域の外部において立体的に交差して配設されていることを特徴とする請求項４記載のディスプレイ装置。
【請求項６】
前記第１の前記ドライバチップと第２の前記ドライバチップは、前記表示領域の一端側と、該一端側に対向する他端側と、に設けられていることを特徴とする請求項３記載のディスプレイ装置。
【請求項７】
前記複数の表示画素は、各々、カラー表示を行う所定の数の表示色の何れかを有し、列方向に同一の表示色の前記表示画素が配列され、行方向に異なる表示色の前記表示画素が隣接して一定の順序で配列されており、
前記第１の出力端子群は、前記第１のドライバチップの前記第２のドライバチップ側の端部側の前記所定の数の前記出力端子からなり、前記第３の出力端子群は、前記第２のドライバチップの前記第１のドライバチップ側の端部側の、前記所定の数の前記出力端子からなることを特徴とする請求項３記載のディスプレイ装置。
【請求項８】
表示領域と、
前記表示領域において、列方向に沿って配設された複数の信号線と、
前記複数の信号線の各々に接続されて、前記表示領域内に直交する行及び列方向に沿って配列された複数の表示画素と、
前記表示領域外に設けられ、複数の出力端子を有し、該各出力端子から前記表示画素を駆動する駆動信号を出力する複数のドライバチップと、
を備え、
前記複数の表示画素は、各々、カラー表示を行う所定の数の表示色の何れかを有し、列方向に同一の表示色の前記表示画素が配列され、行方向に異なる表示色の前記表示画素が隣接して一定の順序で配列され、
前記複数の信号線は、前記各表示色の表示画素に接続される前記信号線毎に異なる前記ドライバチップに接続されて、
前記複数のドライバチップにおける一つの前記ドライバチップの少なくとも１つの前記出力端子に接続される少なくとも１本の前記信号線は、他の前記ドライバチップの前記各出力端子に接続される前記各信号線の間に配設されていることを特徴とするディスプレイ装置。
【発明の詳細な説明】
【技術分野】
【０００１】
本発明は、ディスプレイ装置に関する。
【背景技術】
【０００２】
アクティブマトリクス駆動方式のディスプレイでは、各表示画素に表示素子とトランジスタ等を有してなる駆動回路が設けられ、図１５に示すように、これらの回路に接続された走査線３０２、信号線３０３、供給線３０４が縦横に配線されている。また、ディスプレイパネル３０１の表示領域３３０の外周部において、走査線３０２は走査ドライバ３２２に接続され、信号線３０３はデータドライバ３２３Ａ、３２３Ｂに接続され、供給線３０４は供給ドライバ３２４に接続され、これらのドライバにより各表示素子に電力が供給される。
また、表示領域が大きいディスプレイにおいては、複数のドライバが並べて用いられる（例えば、特許文献１参照）。
【先行技術文献】
【特許文献】
【０００３】
【特許文献１】特開２００８−１４９９６号公報
【発明の概要】
【発明が解決しようとする課題】
【０００４】
ところで、複数のデータドライバを用いる場合に、それぞれのデータドライバ３２３Ａ、３２３Ｂに特性差があると、各表示画素に同じ階調の表示データを印加して駆動しても、データドライバ３２３Ａ、３２３Ｂの各々に対応する表示画素の表示輝度に差が生じ、データドライバ３２３Ａと３２３Ｂの境界に対応する領域に表示輝度の段差が知覚されて、表示品位が低下することがある。
【０００５】
本発明の課題は、複数のデータドライバの特性差により生ずる表示輝度差を知覚されにくくし、以て、良好な表示品位のディスプレイパネルを提供することである。
【課題を解決するための手段】
【０００６】
以上の課題を解決するため、本発明の第１の態様によれば、表示領域と、前記表示領域において、列方向に沿って配設された複数の信号線と、前記複数の信号線の各々に接続されて、前記表示領域内に直交する行及び列方向に沿って配列された複数の表示画素と、前記表示領域外に設けられ、複数の出力端子を有し、該各出力端子から前記表示画素を駆動する駆動信号を出力する複数のドライバチップと、を備え、前記複数の信号線は、前記複数のドライバチップの何れかの前記複数の出力端子の何れかに接続されており、前記複数のドライバチップにおける一つの第１のドライバチップの少なくとも１つの前記出力端子に接続される少なくとも１本の前記信号線は、前記第１のドライバチップとは異なる第２のドライバチップの前記各出力端子に接続される前記各信号線の間に配設されていることを特徴とするディスプレイ装置が提供される。
【０００７】
好ましくは、前記第１のドライバチップにおける前記複数の出力端子は、少なくとも１つの前記出力端子からなる第１の出力端子群と、該第１の出力端子群に含まれない前記各出力端子からなる第２の出力端子群と、をなし、前記第２のドライバチップにおける前記各出力端子は、少なくとも１つの前記出力端子からなる第３の出力端子群と、該第３の出力端子群に含まれない前記各出力端子からなる第４の出力端子群とからなり、前記複数の信号線は、前記第１のドライバチップの前記第１の出力端子群に接続される少なくとも１本の前記信号線からなる第１の信号線群と、前記第２の出力端子群に接続される第２の信号線群と、前記第２のドライバチップの前記第３の出力端子群に接続される少なくとも１本の前記信号線からなる第３の信号線群と、前記第４の出力端子群に接続される第４の信号線群と、を有し、前記第３の信号線群は、前記第２の信号線群と前記第１の信号線群との間に配列され、前記第３の信号線群と前記第４の信号線群との間に前記第１の信号線群が配列されている。
好ましくは、前記第１の信号線群における前記信号線は、前記第１のドライバチップの前記第２のドライバチップ側の端部側の、少なくとも１つの前記出力端子に接続されており、前記第３の信号線群における前記信号線は、前記第２のドライバチップの前記第１のドライバチップ側の端部側の、少なくとも１つの前記出力端子に接続されている。
好ましくは、前記第１の前記ドライバチップと第２の前記ドライバチップは、前記表示領域の一端側に隣接して設けられている。
好ましくは、前記第１の信号線群と前記第３の信号線群とは、前記表示領域の外部において立体的に交差して配設されている。
好ましくは、前記第１の前記ドライバチップと第２の前記ドライバチップは、前記表示領域の一端側と、該一端側に対向する他端側と、に設けられている。
好ましくは、前記複数の表示画素は、各々、カラー表示を行う所定の数の表示色の何れかを有し、列方向に同一の表示色の前記表示画素が配列され、行方向に異なる表示色の前記表示画素が隣接して一定の順序で配列されており、前記第１の出力端子群は、前記第１のドライバチップの前記第２のドライバチップ側の端部側の前記所定の数の前記出力端子からなり、前記第３の出力端子群は、前記第２のドライバチップの前記第１のドライバチップ側の端部側の、前記所定の数の前記出力端子からなる。
【０００８】
本発明の第２の態様によれば、表示領域と、前記表示領域において、列方向に沿って配設された複数の信号線と、前記複数の信号線の各々に接続されて、前記表示領域内に直交する行及び列方向に沿って配列された複数の表示画素と、前記表示領域外に設けられ、複数の出力端子を有し、該各出力端子から前記表示画素を駆動する駆動信号を出力する複数のドライバチップと、を備え、前記複数の表示画素は、各々、カラー表示を行う所定の数の表示色の何れかを有し、列方向に同一の表示色の前記表示画素が配列され、行方向に異なる表示色の前記表示画素が隣接して一定の順序で配列され、前記複数の信号線は、前記各表示色の表示画素に接続される前記信号線毎に異なる前記ドライバチップに接続されて、前記複数のドライバチップにおける一つの前記ドライバチップの少なくとも１つの前記出力端子に接続される少なくとも１本の前記信号線は、他の前記ドライバチップの前記各出力端子に接続される前記各信号線の間に配設されていることを特徴とするディスプレイ装置が提供される。
【発明の効果】
【０００９】
本発明によれば、複数のデータドライバにより生ずる発光素子の輝度差を知覚しにくいディスプレイパネルが提供される。
【図面の簡単な説明】
【００１０】
【図１】本発明の第１の実施形態に係るＥＬディスプレイパネル１Ａの概略図である。
【図２】ＥＬディスプレイパネル１Ａの１つの表示画素の駆動回路の構成の一例を示す回路図である。
【図３】（ａ）はＥＬディスプレイパネル１Ａの表示領域の輝度分布、（ｂ）は従来のＥＬディスプレイパネルの表示領域の輝度分布を示す模式図である。
【図４】図３（ａ）のIV−IV線上の輝度分布を示すグラフである。
【図５】図３（ｂ）のV−V線上の輝度分布を示すグラフである。
【図６】図４と図５のガウシアンフィルター処理後のグラフ（２）、（４）を重ねたものである。
【図７】図６のグラフ（２）、（４）を微分したグラフ（５）、（６）である。
【図８】（ａ）は表示されるべき画像のデータであり、（ｂ）は（ａ）のｎ列目とｎ＋１列目のデータを入れ替えた画像のデータであり、（ｃ）は１行分の表示されるべき画像のデータであり、（ｄ）は（ｃ）のｎ列目とｎ＋１列目のデータを入れ替えた画像のデータである。
【図９】第１の変形例に係るＥＬディスプレイパネル１Ｂの概略図である。
【図１０】第２の変形例に係るＥＬディスプレイパネル１Ｃの概略図である。
【図１１】第３の変形例に係るＥＬディスプレイパネル１Ｄの概略図である。
【図１２】本発明の第２の実施形態に係るＥＬディスプレイパネル１０１の概略図である。
【図１３】本発明の第３の実施形態に係るＥＬディスプレイパネル２０１Ａの概略図である。
【図１４】本発明の第４の変形例に係るＥＬディスプレイパネル２０１Ｂの概略図である。
【図１５】従来のディスプレイパネルの概略図である。
【発明を実施するための形態】
【００１１】
以下に、本発明を実施するための最良の形態について図面を用いて説明する。但し、以下に述べる実施形態には、本発明を実施するために技術的に好ましい種々の限定が付されているが、発明の範囲を以下の実施形態及び図示例に限定するものではない。また、以下の説明においては、エレクトロルミネッセンスディスプレイパネルについて説明するが、本発明は他のディスプレイパネルについても適用可能である。なお、以下の説明において、エレクトロルミネッセンス（Electro Luminescence）という用語をＥＬと略称する。
【００１２】
〔第１実施形態〕
図１は、本発明の第１の実施形態に係るＥＬディスプレイパネル１Ａの概略図であり、図２はＥＬディスプレイパネル１Ａの１つの表示画素Ｐｉｘの駆動回路１２の構成の一例を示す回路図である。なお、実際には、より多くの行数及び列数分の表示画素Ｐｉｘが配列されている。このＥＬディスプレイパネル１Ａは、アクティブマトリクス駆動方式で動作するモノクロのディスプレイである。
【００１３】
図１に示すように、ＥＬディスプレイ１は、表示領域３０を有し、表示領域３０外に、システムコントローラ２０と、表示領域３０の左側に設けられた走査ドライバ２２と、表示領域３０の上部に設けられたデータドライバ２３Ａ、２３Ｂと、表示領域３０の右側に設けられた供給ドライバ２４とを備える。システムコントローラ２０はメモリを備え、走査ドライバ２２、データドライバ（ドライバチップ）２３Ａ、２３Ｂ及び供給ドライバ２４に信号を出力する。ここで、システムコントローラ２０は、表示信号が供給されて走査ドライバ２２、供給ドライバ２４に制御信号を供給し、データドライバ２３Ａ、２３Ｂに制御信号及び表示信号に基づく表示データを供給するものである。走査ドライバ２２は走査信号を順次出力するものである。データドライバ２３Ａ、２３Ｂは供給された表示データに応じた電圧信号又は電流信号からなる駆動信号を出力するものである。供給ドライバ２４はピクセルＰｉｘを駆動するための電源電圧を供給するものである。なお、以下の説明においては、便宜上、駆動信号が電圧信号からなる駆動電圧であるとして説明するが、駆動信号は電流信号からなる駆動電流であってもよい。
【００１４】
また、ＥＬディスプレイパネル１Ａの表示領域３０には、走査ドライバ２２に接続された複数の走査線２と、データドライバ２３Ａ、２３Ｂに接続された複数の信号線３１、３２、・・・、３２ｎと、供給ドライバ２４に接続された複数の供給線４と、各走査線２と各信号線３及び各供給線４との各交点に配列された複数の表示画素Ｐｉｘと、を備える。
【００１５】
走査線２は互いに平行となるよう配列され、信号線３１、３２、・・・、３２ｎは走査線２と直交するよう配列され、供給線４は隣り合う走査線２の間において走査線２と平行になるように設けられている。
走査線２と信号線３及び供給線４によって囲まれた矩形領域に表示画素Ｐｉｘが設けられ、複数の表示画素Ｐｉｘがマトリクス状に配列されている。
【００１６】
図２に示すように、１表示画素Ｐｉｘの駆動回路１２においては、例えば、薄膜トランジスタ５，６，７とキャパシタ８と有機ＥＬ素子（発光素子）１０とが設けられている。以下、薄膜トランジスタ５をスイッチトランジスタ５と称し、薄膜トランジスタ６を保持トランジスタ６と称し、薄膜トランジスタ７を駆動トランジスタ７と称し、有機ＥＬ素子１０を発光素子１０と称する。
【００１７】
それぞれの表示画素Ｐｉｘでは、スイッチトランジスタ５のゲートが走査線２に接続され、スイッチトランジスタ５のドレインとソースのうちの一方が信号線３に接続され、スイッチトランジスタ５のドレインとソースのうちの他方が発光素子１０のアノード、キャパシタ８の一方の電極８２及び駆動トランジスタ７のソースとドレインのうちの一方に接続されている。駆動トランジスタ７のソースとドレインのうちの他方が供給線４に接続され、駆動トランジスタ７のゲートがキャパシタ８の他方の電極８１及び保持トランジスタ６のドレインとソースのうちの一方に接続されている。保持トランジスタ６のドレインとソースのうちの他方が供給線４に接続され、保持トランジスタ６のゲートが走査線２に接続されている。
【００１８】
全ての表示画素Ｐｉｘの発光素子１０はカソードを共通電極とし、カソードが例えば接地されることにより一定電圧Ｖcomに保たれている。また、発光素子１０の発光色については、例えば、同一の行の発光素子１０は赤、緑、青の順に配列され、同一の列の発光素子１０は同じ色となっている。
【００１９】
ＥＬディスプレイパネル１Ａの周囲において走査線２が電圧制御の走査ドライバ２２に接続され、供給線４が電圧制御の供給ドライバ２４に接続され、信号線３１、３２、・・・、３２ｎがデータドライバ２３Ａ、２３Ｂに接続され、これらドライバによってＥＬディスプレイパネル１Ａがアクティブマトリクス駆動方式で駆動される。
【００２０】
データドライバは複数設けられ、本実施形態においては、図１に示すように、２つのデータドライバ２３Ａ、２３Ｂが設けられている。複数のデータドライバに特性の差がある場合、同じ階調値の表示データを供給しても各データドライバから出力される駆動電圧の電圧値が僅かに異なり、それに対応して表示画素Ｐｉｘの発光素子１０の発光輝度も異なることになる。本実施形態においては、このような場合においても信号線３の配列により、輝度差を人間が知覚しにくくなるようにしている。
【００２１】
具体的には、図１に示すように、各データドライバの出力端子数をｎとし、左側のデータドライバ２３Ａの出力端子を１、２、・・・ｎ、右側のデータドライバ２３Ｂの出力端子をｎ＋１、ｎ＋２、・・・２ｎとし、信号線を図面左側から順に信号線３１、３２、・・・、３２ｎとする。このとき、左側のデータドライバ２３Ａの各出力端子１、２、・・・ｎには信号線３１、３２、・・・、３ｎ−１、３ｎ＋１が接続され、右側のデータドライバ２３Ｂの各出力端子ｎ＋１、ｎ＋２、・・・２ｎには信号線３ｎ、３ｎ＋２、・・・、３２ｎが接続されている。ここで、図１に示すように、左側のデータドライバ２３Ａの右端の出力端子ｎに接続された信号線３ｎ＋１と、右側のデータドライバ２３Ｂの左端の出力端子ｎ＋１に接続された信号線３ｎとは、表示領域３０の外周部において立体的に交差している。なお、信号線を立体的に交差させるには、例えば絶縁層を介して異なる層に信号線を形成すればよい。
【００２２】
このように信号線３を配列した場合において、左右のデータドライバ２３Ａ、２３Ｂに特性の差がある場合、システムコントローラから全ての信号線３１、３２、・・・、３２ｎに対応する同じ階調値の表示データを左右のデータドライバ２３Ａ、２３Ｂに供給した場合でも、データドライバ２３Ａに対応する表示画素Ｐｉｘとデータドライバ２３Ｂに対応する表示画素Ｐｉｘとの間に輝度差が生じうる。ここで、データドライバ２３Ａの出力端子ｎが本発明の第１の出力端子群に相当し、データドライバ２３Ａの出力端子１、２、・・・ｎ−１が本発明の第２の出力端子群に相当し、データドライバ２３Ｂの出力端子ｎ＋１が本発明の第３の出力端子群に相当し、データドライバ２３Ｂの出力端子ｎ＋２、・・・２ｎが本発明の第４の出力端子群に相当する。また、信号線３ｎ＋１が本発明の第１の信号線群に相当し、信号線３１、３２、・・・、３ｎ−１が本発明の第２の信号線群に相当し、信号線３ｎが本発明の第３の信号線群、信号線３ｎ＋２、・・・、３２ｎが本発明の第４の信号線群に相当する。
【００２３】
図３（ａ）は、同じ階調値の表示データに対して、右側のデータドライバ２３Ｂに接続された信号線３ｎ、３ｎ＋２、・・・、３２ｎに対応する表示画素Ｐｉｘの発光素子１０の発光輝度が、左側のデータドライバ２３Ａに接続された信号線３１、３２、・・・、３ｎ-1、３ｎ+1に対応する表示画素Ｐｉｘの発光素子１０の発光輝度よりやや高くなる場合の、本実施形態におけるＥＬディスプレイパネル１Ａの表示領域３０の表示状態を示す模式図である。信号線３ｎ＋１と信号線３ｎとは表示領域３０の外周部において交差しているため、信号線３ｎに対応する表示画素Ｐｉｘの発光素子１０による表示領域のほうが信号線３ｎ＋１に対応する表示画素Ｐｉｘの発光素子１０による表示領域よりも輝度が高くなり、図３（ａ）に示すように、表示領域３０の左右のデータドライバ２３Ａ、２３Ｂの境界に対応する領域において、図面左右方向において輝度がやや高い列と輝度がやや低い列とが交互に存在する表示状態となる。一方、図３（ｂ）は、図１５に示したような従来の構成を有するＥＬディスプレイパネル３０１において、左右のデータドライバ２３Ａ、２３Ｂに図３（ａ）の場合と同様の特性差がある場合の、表示領域３３０の表示状態を示す模式図である。
【００２４】
次に、本発明の構成による効果を説明するために、図１５及び図３（ｂ）に示した従来の構成の場合を比較例として説明する。
まず、本発明における構成の場合について説明する。図４の実線のグラフ（１）は図３（ａ）のIV−IV線上の輝度分布を示すグラフである。上記のように本実施形態においては、信号線３ｎと信号線３ｎ＋１とが交差しているため、輝度の段差が単純ではなく、ジグザクとなる。
【００２５】
ここで、人間の視覚特性について説明する。人間の視覚では、視力（分解能）以上に非常に近接した２点を識別できず、１点として捉えられる。視力１．０の人間が視距離４００ｍｍからＥＬディスプレイパネル１Ａを観察したとき、ＥＬディスプレイパネル１Ａ上で識別できる２点の距離は概ね１２０μｍとなる。一般にＥＬディスプレイパネル１Ａの各画素は人間の分解能に合わせて設計されるため、各ピクセルは約１２０μｍ以下のピッチで配列されている。このため、人間の視覚では隣接するピクセル同士を２点として捉えることができずにぼやけて見え、平滑化して捉えられる。すなわち、本発明の構成において、実際の輝度分布は図４のグラフ（１）に示すようにジグザグになっているが、このジグザグのピッチは各表示画素Ｐｉｘの行方向の配列間隔であって、通常、非常に小さく、これが約１２０μｍ以下程度であると人間の目では表示画素Ｐｉｘ間の輝度変化を分解できず、２つの表示画素間の輝度変化がぼやけて見え、平滑化されて見えることになるのである。
【００２６】
ここで、この視覚による平滑化はガウシアンフィルター処理を適用した場合と概ね同等なものとなることが知られている。そこで、視覚により平滑化された輝度分布として、図４の実線のグラフ（１）をガウシアンフィルター処理したものが図４の破線で示すグラフ（２）である。ここで、元々の輝度差データをY、ガウシアンフィルター処理を行った輝度差データをY_filteredと記すと、
【数１】
2010176013.tif 000003
ここで、xj は各画素の横方向位置を表す座標である。Σ（総和）は１走査ライン分のすべてについてとる。fはガウス分布関数であり、次式で定義される。
【数２】
2010176013.tif 000004
ここで、σはぼやけ方に対応し、画素ピッチに等しいとして計算した。
ここでA は規格化定数で、以下の様に決定される。
【数３】
2010176013.tif 000005
【００２７】
次に、比較例として、図３（ｂ）に示した従来の構成の場合について説明する。図５の実線グラフ（３）は図３（ｂ）のV−V線上の輝度分布を示すグラフである。このグラフをガウシアンフィルター処理したものが図５の一点鎖線で示すグラフ（４）である。
次いで、図６は図４と図５のガウシアンフィルター処理後のグラフ（２）、（４）を重ねたものであり、図７は図６のグラフ（２）、（４）を微分した結果を示すグラフであり、グラフ（５）がグラフ（２）に対応し、グラフ（６）がグラフ（４）に対応する。図６、図７から分かるように、従来の構成の場合に比し、本発明の信号線を交差させる構成の場合の方が輝度変化の勾配が小さく、緩やかになっていることが分かる。人間の視覚においては、輝度差の大きさが同じ場合、輝度変化の勾配が急峻であるほど知覚し易い特性を有している。このことから、本発明の構成によれば、従来の構成に比べて輝度差が目立ちにくくすることができる。
【００２８】
次に、図１の本発明の構成において、ＥＬディスプレイパネル１Ａに正常な表示を行えるようにするためのデータの処理について説明する。
図８（ａ）は表示されるべき画像のデータである。通常のＥＬディスプレイパネルでは、１行の１〜ｎ列のデータが左側のデータドライバ２３Ａに入力され、ｎ＋１〜２ｎ列のデータが右側のデータドライバ２３Ｂに入力される。しかし、本実施形態のＥＬディスプレイパネル１Ａでは、信号線３ｎと信号線３ｎ＋１とを立体的に交差させているので、図８（ｂ）に示すように、ｎ列目とｎ＋１列目のデータを入れ替える必要がある。
【００２９】
なお、図８（ｃ）、（ｄ）に示すように、データの入れ替えは１行分のデータをデータドライバ２３Ａ、２３Ｂに送るなかで行えばよいので、入れ替え処理にフレームメモリは必要ない。また、各列での処理において、実際には（ｋ，ｎ）と（ｋ，ｎ＋１）とを入れ替えればよいため、ラインメモリも不要であり、最低限、一画素分のメモリがあれば足りる。
【００３０】
具体的には、システムコントローラ２０は、例えば、（ｋ，１）〜（ｋ，ｎ−１）のデータをデータドライバ２３Ａに出力した後、（ｋ，ｎ）のデータをメモリに一時保存し、（ｋ，ｎ＋１）のデータをデータドライバ２３Ａに出力する。次に、（ｋ，ｎ）のデータを読み出してデータドライバ２３Ｂに出力するとともに、（ｋ，ｎ＋２）〜（ｋ，２ｎ）のデータをデータドライバ２３Ｂに出力する。
上記処理を各行毎に行うことで、全ての行についてｎ列目とｎ＋１列目のデータを入れ替えることができる。
【００３１】
なお、上記実施形態においては、データドライバが２つである場合について説明したが、データドライバが３つ以上ある場合であっても、隣接する部分で信号線の配置を入れ替えることで、同様の効果が得られる。
【００３２】
＜変形例１＞
図９は本発明の第１の変形例に係るＥＬディスプレイパネル１Ｂの概略図である。図１においては、２つのデータドライバ２３Ａ、２３Ｂをいずれも表示領域３０の上部に配置したが、例えば図９に示すように、一方のデータドライバ２３Ａを表示領域３０の上部に、他方のデータドライバ２３Ｂを表示領域３０の下部に配置してもよい。この場合、信号線３ｎと信号線３ｎ＋１とを交差させることなく、信号線３ｎ＋１をデータドライバ２３Ａの右端の出力端子ｎに接続し、信号線３ｎをデータドライバ２３Ｂの左端の出力端子ｎ＋１に接続することができる。この場合においても、上記と同じ効果を得ることができる。
【００３３】
＜変形例２＞
図１０は本発明の第２の変形例に係るＥＬディスプレイパネル１Ｃの概略図である。図１０に示すように、信号線３ｎ−１、３ｎと３ｎ＋１、３ｎ＋２とをそれぞれ交差させ、信号線３ｎ＋１、３ｎ＋２をデータドライバ２３Ａの右端側の出力端子ｎ−１，ｎに接続し、信号線３ｎ−１、３ｎをデータドライバ２３Ｂの左端側の出力端子ｎ＋１、ｎ＋２に接続する。この場合においても上記と同様の効果を得ることができる。この場合、データドライバ２３Ａの出力端子ｎ―１、ｎが本発明の第１の出力端子群に相当し、データドライバ２３Ａの出力端子１、２、・・・ｎ−２が本発明の第２の出力端子群に相当し、データドライバ２３Ｂの出力端子ｎ＋１、ｎ＋２が本発明の第３の出力端子群に相当し、データドライバ２３Ｂの出力端子ｎ＋３、・・・２ｎが本発明の第４の出力端子群に相当する。また、信号線３ｎ＋１、３ｎ＋２が本発明の第１の信号線群に相当し、信号線３１、３２、・・・、３ｎ−２が本発明の第２の信号線群に相当し、信号線３ｎ−１、３ｎが本発明の第３の信号線群、信号線３ｎ＋３、・・・、３２ｎが本発明の第４の信号線群に相当する。
【００３４】
＜変形例３＞
図１１は本発明の第３の変形例に係るＥＬディスプレイパネル１Ｄの概略図である。図１１に示すように、信号線３ｎ−１と３ｎ＋１とを交差させるとともに、信号線３ｎと３ｎ＋１、３ｎ＋２とを交差させ、信号線３ｎ、３ｎ＋２をデータドライバ２３Ａの右端側の出力端子ｎ−１，ｎに接続し、信号線３ｎ−１、３ｎ＋１をデータドライバ２３Ｂの左端側の出力端子ｎ＋１、ｎ＋２に接続する。この場合においても上記と同様の効果を得ることができる。
【００３５】
〔第２実施形態〕
次に、本発明の第２の実施形態について説明する。なお、第１の実施形態と同様の構成については、下２桁に同符号を付して説明を割愛する。
図１２は本発明の第２の実施形態に係るＥＬディスプレイパネル１０１の概略図である。このＥＬディスプレイパネル１０１は、アクティブマトリクス駆動方式で動作するカラーのディスプレイであり、一画素が赤、緑、青の「サブピクセル」（Ｐｉｘ）からなる。各サブピクセルは、それぞれスイッチトランジスタ、駆動トランジスタ、保持トランジスタ、キャパシタ及び有機ＥＬ素子（発光素子）を備える。
【００３６】
赤色のサブピクセルのスイッチトランジスタには信号線１０３１ｒ、１０３２ｒ、・・・、１０３２ｎｒが接続され、緑色のサブピクセルのスイッチトランジスタには信号線１０３１ｇ、１０３２ｇ、・・・、１０３２ｎｇが接続され、青色のサブピクセルのスイッチトランジスタには信号線１０３１ｂ、１０３２ｂ、・・・、１０３２ｎｂが接続される。
【００３７】
信号線１０３１ｒ、１０３２ｒ、・・・、１０３（ｎ−１）ｒ、１０３（ｎ＋１）ｒ、１０３１ｇ、１０３２ｇ、・・・、１０３（ｎ−１）ｇ、１０３（ｎ＋１）ｇ、１０３１ｂ、１０３２ｂ、・・・、１０３（ｎ−１）ｂ、１０３（ｎ＋１）ｂはデータドライバ１２３Ａに接続され、信号線１０３ｎｒ、１０３（ｎ＋２）ｒ、・・・、１０３２ｎｒ、１０３ｎｇ、１０３（ｎ＋２）ｇ、・・・、１０３２ｎｇ、１０３ｎｂ、１０３（ｎ＋２）ｂ、・・・、１０３２ｎｂはデータドライバ１２３Ｂに接続されている。
ここで、図１２に示すように、左側のデータドライバ２３Ａの右端側の出力端子ｎｒ、ｎｇ、ｎｂに接続された信号線１０３（ｎ＋１）ｒ、１０３（ｎ＋１）ｇ、１０３（ｎ＋１）ｂと、右側のデータドライバ２３Ｂの左端側の出力端子ｎ＋１に接続された信号線１０３ｎ、１０３ｎｇ、１０３ｎｂとは、表示領域１３０の外周部において交差している。このため、カラーのＥＬディスプレイパネル１０１においても、第１の実施形態と同様に、人間の視覚により認識される輝度差を低減し、目立たなくさせることができる。この場合、データドライバ２３Ａの出力端子ｎｒ、ｎｇ、ｎｂが本発明の第１の出力端子群に相当し、データドライバ２３Ａの出力端子１ｒ、１ｂ、・・・（ｎ−１）ｂが本発明の第２の出力端子群に相当し、データドライバ２３Ｂの出力端子（ｎ＋１）ｒ、（ｎ＋１）ｇ、（ｎ＋１）ｂが本発明の第３の出力端子群に相当し、データドライバ２３Ｂの出力端子（ｎ＋２）ｒ、・・・２ｎｂが本発明の第４の出力端子群に相当する。また、信号線１０３（ｎ＋１）r、１０３（ｎ＋１）g、１０３（ｎ＋１）bが本発明の第１の信号線群に相当し、信号線１０３１r、１０３1b、・・・、１０３（ｎ−１）ｂが本発明の第２の信号線群に相当し、信号線１０３ｎr、１０３ｎg、１０３ｎbが本発明の第３の信号線群、信号線１０３（ｎ＋２）r、１０３（ｎ＋２）g・・・、１０３２ｎbが本発明の第４の信号線群に相当する。
【００３８】
〔第３実施形態〕
次に、本発明の第３の実施形態について説明する。なお、第１の実施形態と同様の構成については、下２桁に同符号を付して説明を割愛する。
図１３は本発明の第３の実施形態に係るＥＬディスプレイパネル２０１Ａの概略図である。このＥＬディスプレイパネル２０１は、アクティブマトリクス駆動方式で動作するカラーのディスプレイであり、一画素が赤、緑、青の「サブピクセル」（Ｐｉｘ）からなる。各サブピクセルは、それぞれスイッチトランジスタ、駆動トランジスタ、保持トランジスタ、キャパシタ及び有機ＥＬ素子（発光素子）を備える。
【００３９】
赤色のサブピクセルのスイッチトランジスタには信号線２０３１ｒ、２０３２ｒ、・・・、２０３ｎｒが接続され、緑色のサブピクセルのスイッチトランジスタには信号線２０３１ｇ、２０３２ｇ、・・・、２０３ｎｇが接続され、青色のサブピクセルのスイッチトランジスタには信号線２０３１ｂ、２０３２ｂ、・・・、２０３ｎｂが接続される。
【００４０】
本実施形態においては、信号線２０３１ｒ、２０３２ｒ、・・・、２０３ｎｒがデータドライバ２２３Ｒに接続され、信号線２０３１ｇ、２０３２ｇ、・・・、２０３ｎｇがデータドライバ２２３Ｇに接続され、信号線２０３１ｂ、２０３２ｂ、・・・、２０３ｎｂがデータドライバ２２３Ｂに接続される。ここで、各信号線の交差部においては、例えば絶縁層を介して異なる層に各信号線を形成すればよい。
【００４１】
このように、各色のサブピクセルのトランジスタが異なるデータドライバ２２３Ｒ，２２３Ｇ，２２３Ｂに接続されているので、データドライバ２２３Ｒ，２２３Ｇ，２２３Ｂ間に特性差があったとしても、表示領域３０に輝度差による継ぎ目が現れない。
【００４２】
＜変形例４＞
図１４は本発明の第４の変形例に係るＥＬディスプレイパネル２０１Ｂの概略図である。図１３においては、３つのデータドライバ２２３Ｒ，２２３Ｇ，２２３Ｂをいずれも表示領域３０の上部に配置したが、例えば図１４に示すように、データドライバ２２３Ｒ，２２３Ｂを表示領域３０の上部に、データドライバ２２３Ｇを表示領域３０の下部に配置してもよい。この場合、信号線２０３１ｇ、２０３２ｇ、・・・、２０３ｎｇを他の信号線と交差させることなく配置することができる。
【符号の説明】
【００４３】
１Ａ，１Ｂ，１Ｃ，１Ｄ，１０１，２０１Ａ，２０１Ｂ  ＥＬディスプレイパネル
２２，１２２，２２２，３２２  走査ドライバ
２３Ａ，２３Ｂ，１２３Ａ，１２３Ｂ，２２３Ｒ，２２３Ｇ，２２３Ｂ，３２３Ａ，３２３Ｂ  データドライバ（ドライバチップ）
２４，１２４，２２４，３２４  供給ドライバ
３，１０３，２０３，３０３  信号線
【図１】
2010176013.tif 000006
【図２】
2010176013.tif 000007
【図３】
2010176013.tif 000008
【図４】
2010176013.tif 000009
【図５】
2010176013.tif 000010
【図６】
2010176013.tif 000011
【図７】
2010176013.tif 000012
【図８】
2010176013.tif 000013
【図９】
2010176013.tif 000014
【図１０】
2010176013.tif 000015
【図１１】
2010176013.tif 000016
【図１２】
2010176013.tif 000017
【図１３】
2010176013.tif 000018
【図１４】
2010176013.tif 000019
【図１５】
2010176013.tif 000020